(57)【要約】【課題】柄と刃部の連結角度を任意に設定できると共に、柄の角度保持機構を半円形状のギア部とギア片との噛合とにより確実に保持して大きな力が加わっても柄と刃部の角度を保持することができる可動式鍬を提供するものである。【解決手段】刃部２の上面に半円形状のギア部３を突設し、このギア部３の中心にボルト６を貫通させて、この貫通したボルト６の両端を支持する軸支持部８を設け、この軸支持部８の上部に、前記半円形状のギア部３の歯７Ａと接離自在に噛合するギア片１０を弾性的に支持し、更にこの軸支持部８の上部に柄４を接続して、前記ギア片１０を半円形状のギア部３から離して柄４を回動させ、任意の歯７Ａ、７Ｂに噛合させることにより、柄４と刃部２の角度を調整するようにしたものである。【選択図】  図３
2006014656.tif 000002
【特許請求の範囲】
【請求項１】
刃部の上面に半円形状のギア部を突設し、このギアの中心に軸を貫通させて、この貫通した軸の両端を支持する軸支持部を設け、この軸支持部の上部に、前記半円形状のギア部の歯と、接離自在に噛合する歯を形成したギア片を弾性的に支持し、更にこの軸支持部の上部に柄を接続して、前記ギア片を半円形状のギア部から離して柄を回動させ、任意の歯に噛合させることにより、柄と刃部の角度を調整するようにしたことを特徴とする可動式鍬。
【請求項２】
柄をパイプで形成し、この内側にワイヤを通して、その下端を軸支持部に支持したギア片に接続し、ワイヤの上端を柄の上部に着脱自在に取付けたキャップに接続し、キャップを引き上げることによりギア片を半円形状のギア部から離して柄を回動させるようにしたことを特徴とする請求項１記載の可動式鍬。
【発明の詳細な説明】
【技術分野】
【０００１】
本発明は、柄と刃部のなす角度を任意に設定できる可動式鍬に関する。
【背景技術】
【０００２】
一般に使用されている鍬は、刃に一定の角度で口金を設け、この口金に柄を差し込んで連結した構造をなし、柄と刃部とのなす角度は一定に固定されている。このため畝作りの場合や、土寄せ用など用途に合わせたり、作業姿勢に合わせて角度の異なるものを使い分けていた。
【０００３】
また柄と刃部との角度は固定されているため、倉庫などに保管する場合には、刃部を床において柄を立てた状態で保管している。しかしながら、この状態では、柄が斜めになっているので場所をとり、数本の鍬を保管しておくと広いスペースを占めてしまう問題があり、また刃部が床においてあるので、足で踏んで怪我をする恐れもあった。
【０００４】
このため、柄と刃部のなす角度を可変にした鍬が提案されている。これは刃部に取付基端部を突設し、ここに柄の下端をボルトとナットで軸着し、ナットを緩めて柄の角度を変えるようにしたものである（例えば特許文献１）。
【０００５】
しかしながら、柄と刃部の連結をボルトとナットで行なった構造では、土を起こす時に大きな力が連結部分に加わってナットが緩むと、刃部の角度が変わってしまう問題があった。つまりボルトは、柄と刃部の連結部分の支持と同時に、柄の角度を保持する部分であることから、ここにナットの締め付け力より大きな力が加わると、緩んでしまうからである。このため力の弱い女性がセットしても締め付け力が少ないと、使用中に大きな力が加わってナットが緩んでしまい、刃部を固定できない欠点があり実用性に乏しいものであった。
【特許文献１】特開２０００−６０２０１
【発明の開示】
【発明が解決しようとする課題】
【０００６】
本発明は上記問題を改善し、柄と刃部の連結角度を任意に設定できると共に、柄の角度保持機構を半円形状のギア部とギア片との噛合により確実に保持して大きな力が加わっても柄と刃部の角度を保持することができる可動式鍬を提供するものである。
【課題を解決するための手段】
【０００７】
本発明の請求項１記載の鍬は、刃部の上面に半円形状のギア部を突設し、このギアの中心に軸を貫通させて、この貫通した軸の両端を支持する軸支持部を設け、この軸支持部の上部に、前記半円形状のギア部の歯と、接離自在に噛合する歯を形成したギア片を弾性的に支持し、更にこの軸支持部の上部に柄を接続して、前記ギア片を半円形状のギア部から離して柄を回動させ、任意の歯に噛合させることにより、柄と刃部の角度を調整するようにしたことを特徴とするものである。
【０００８】
本発明の請求項２記載の鍬は、柄をパイプで形成し、この内側にワイヤを通して、その下端を軸支持部に支持したギア片に接続し、ワイヤの上端を柄の上部に着脱自在に取付けたキャップに接続し、キャップを引き上げることによりギア片を半円形状のギア部から離して柄を回動させるようにしたことを特徴とするものである。
【発明の効果】
【０００９】
本発明に係る請求項１記載の鍬によれば、半円形状のギア部と柄はボルトで回動自在に連結され、ギア片と半円形状のギア部の噛合している歯を解放することにより自由に回動でき、所定の角度でギア片と半円形状のギア部を噛合させることにより、任意の角度に設定することができる。このため１丁の鍬で、用途や作業姿勢に合わせて数種類の役割を果たすことができると共に、折り畳んで収納することができるので保管スペースを少なくすることができる。
【００１０】
また半円形状のギア部と柄に取付けた軸支持部とはボルトで連結されていると共に、ギア片と半円形状のギア部が噛合しているので、大きな力が加わっても変形することがない。このため力の弱い女性がセットしても、使用中に刃部が固定されているので角度を保持することができる。
【００１１】
また請求項２記載の可動式鍬によれば、キャップを引き上げることにより、ワイヤを介して、ギア片を取付けたガイドピンが引き上げられて、この歯が半円形状のギア部の歯から離れて自由に回動させることができるので、手元の操作で角度をワンタッチで変更することができる。
【発明を実施するための最良の形態】
【００１２】
簡単な操作で、柄と刃部の連結角度を任意に設定できると共に、大きな力が加わっても柄と刃部の角度を確実に保持することができる可動式鍬を実現した。
【実施例】
【００１３】
以下本発明の実施例を図１ないし図４を参照して詳細に説明する。図において１は可動式鍬を示すもので、平板状をなす刃部２の上面に半円形状のギア部３を溶接して固定し、ここに回動自在に木製の柄４を取付けたものである。半円形状のギア部３は、図３に示すように中心に軸貫通孔５が開口され、ここに図４に示すように回転軸となるボルト６が貫通している。
【００１４】
また上部側を２枚に重ね、下部側がコ字形状をなす軸支持部８の内側に前記半円形状のギア部３を被せるように取付けて、ここからギア部３の軸貫通孔５にボルト６を貫通させ、このボルト６の端部にナット９を取付けて、柄４がギア部３に回動自在に連結されている。
【００１５】
前記半円形状のギア部３の上には、ギア部３の歯７Ａと接離自在に噛合するギア片１０が取付けられている。このギア片１０の歯７Ｂは、図５に示すように円弧状に配置されたギア部３の複数の歯７Ａと隙間のなく噛合するように、ほぼ直線状に複数の歯７Ｂが形成されている。更にこのギア片１０の上部にはガイドピン１２が突設されている。
【００１６】
これは図３に示すように、コ字形状をなす軸支持部８の内側の上下に取付けたガイドブラケット１３Ａ、１３Ｂを貫通して上下方向に可動自在に支持されている。更にガイドピン１２には、略Ｌ形の引上げ片１４が固定され、湾曲した先端が横方向に突設されている。この引上げ片１４と上部のガイドブラケット１３Ａとの間のガイドピン１２には、コイルスプリング１５が装着され、ガイドピン１２を、即ちギア片１０を弾性的に常時下方に押圧し、図５に示すように歯７Ｂと半円形状のギア部３の歯７Ａと噛合している。
【００１７】
また軸支持部８の上部は図４に示すように折曲して２枚重ねて連結部１７が形成されている。また木製の柄４の下部には凹溝１８が形成され、ここに前記連結部１７を装着してその上下でボルト１９とナット２０で連結されている。
【００１８】
上記構成の可動式鍬１は、図１に実線で示すように、刃部２と木製の柄４とのなす角度αの状態で使用してから、仮想線で示すように角度βに変える場合について説明する。この場合、図３に示すように引上げ片１４に指を掛けて引き上げるとコイルスプリング１５が縮んでガイドピン１２の下端に接続したギア片１０が引き上げられ、図５に仮想線で示すように歯７Ｂが半円形状のギア部３の歯７Ａから離れる。
【００１９】
この結果、半円形状のギア部３と木製の柄４はボルト６だけで連結された状態となって、木製の柄４はボルト６を回転軸として自由に回動できる。角度βの位置で引上げ片１４を放すとコイルスプリング１５の弾性力によりギア片１０が下がって、図５に示すようにこの歯７Ｂが半円形状のギア部３の歯７Ａに噛合する。この結果、木製の柄４は刃部２に対して角度βで固定される。
【００２０】
このように、ギア片１０と半円形状のギア部３が歯７Ａ、歯７Ｂで噛合していると共に、ボルト６で軸支持部８に半円形状のギア部３が連結されているので、大きな力が刃部２に加わっても、変形する事がなく角度を一定に保持することができる。つまり刃部２に対して木製の柄４を、引き上げようとする力はボルト６で支持され、刃部２に対して木製の柄４を回転させようとする力は噛合している歯７Ａ、歯７Ｂで支持されるので、大きな力が加わっても変形することがない。
【００２１】
従って、木製の柄４と刃部２の連結角度を任意に設定して、強固に保持できるので、畝作りの場合や、土寄せ用など用途や作業姿勢に合わせて調整でき、１丁の可動式鍬１で数種の役割を果たすことができる。また柄４を、刃部２と平行に折り畳めば、設置スペースも少なく、壁に吊り下げて保管することもできる。また販売する店でも角度の異なる多種類の鍬を陳列する必要がなく、陳列や保管のスペースを少なくすることができる。また柄４と刃部２の角度を９０度以上に広げるとスコップの代用としても使用することができる。
【００２２】
図６は本発明の他の実施例を示すもので、引上げ片１４の代わりにコイルスプリング１５のストッパ−２２を取付け、柄４をアルミニュウムなどのパイプ２３で形成したものである。パイプ２３の上部にはキャップ２４が着脱自在に取付けられ、このキャップ２４とガイドピン１２の上端とはワイヤ２５で連結されている。
【００２３】
この構造の可動式鍬１は、キャップ２４を引き上げることにより、ワイヤ２５を介して、ギア片１０を取付けたガイドピン１２が引き上げられて、この歯７Ｂが半円形状のギア部３の歯７Ａから離れて、自由に回動させることができる。柄４を所定の角度に傾けたら、キャップ２４を離すとコイルスプリング１５の弾性によりワイヤ２５が引っ張られて復帰し、ギア片１０が半円形状のギア部３に噛合して固定される。従って、しゃがまなくても手元の操作で角度をワンタッチで変更することができる。
【産業上の利用可能性】
【００２４】
上記説明では刃部として板状のものを使用した場合について説明したが、フォーク状のものを取付けた構造にも適用することができる。
【図面の簡単な説明】
【００２５】
【図１】本発明の実施例による可動式鍬の斜視図である。
【図２】図１に示す可動式鍬の要部を拡大して示す側面図である。
【図３】図２の断面図である。
【図４】図２に示す可動式鍬の正面図である。
【図５】ギア部とギア片との噛合状態を示す説明図である。
【図６】本発明の他の実施例による可動式鍬の要部を拡大して示す断面図である。
【符号の説明】
【００２６】
１    可動式鍬                                              
２    刃部                                                  
３    半円形状のギア部                                      
４    柄                                                    
５    軸貫通孔                                              
６    ボルト                                                
７Ａ、７Ｂ  歯                                              
８    軸支持部                                              
９    ナット                                                
１０  ギア片                                                
１２  ガイドピン                                            
１４  引上げ片                                              
１５  コイルスプリング                                      
１７  連結部                                                
１８  凹溝                                                  
２２  ストッパー                                            
２３  パイプ                                                
２４  キャップ                                              
２５  ワイヤ                                                            
【図１】
2006014656.tif 000003
【図２】
2006014656.tif 000004
【図３】
2006014656.tif 000005
【図４】
2006014656.tif 000006
【図５】
2006014656.tif 000007
【図６】
2006014656.tif 000008